(57)【要約】【課題】携帯型のプリンタに取り付ける記録紙カセットにおいて、小型で持ち運びやすい記録紙カセットを提供する。【解決手段】プリンタに接続される記録紙カセットであって、記録紙を収納する収納ケースと、前記収納ケースを覆うカバーと、前記収納ケースを前記プリンタに接続するための接続部と、を有し、前記カバーは、前記収納ケースに対しスライド可能であって、前記収納ケースにはバネが設けられており、前記カバーを前記収納ケースに対しスライドさせることにより前記バネが露出し、前記バネの付勢力により、前記カバーに載置されている記録紙が給紙ローラ側に押され、前記プリンタに前記記録紙が給紙されることを特徴とする記録紙カセットを提供することにより上記課題を解決する。【選択図】  図２５
2019112170.tif 000002
【特許請求の範囲】
【請求項１】
プリンタに接続される記録紙カセットであって、
記録紙を収納する収納ケースと、
前記収納ケースを覆うカバーと、
前記収納ケースを前記プリンタに接続するための接続部と、
を有し、
前記カバーは、前記収納ケースに対しスライド可能であって、
前記収納ケースにはバネが設けられており、
前記カバーを前記収納ケースに対しスライドさせることにより前記バネが露出し、前記バネの付勢力により、前記カバーに載置されている記録紙が給紙ローラ側に押され、前記プリンタに前記記録紙が給紙されることを特徴とする記録紙カセット。
【請求項２】
前記収納ケースに設けられた、前記記録紙が取り出される開口部と、
前記収納ケースの内側には、前記収納ケースに収納されている前記記録紙を前記収納ケース側に押す付勢力を有する第二のバネを有することを特徴とする請求項１に記載の記録紙カセット。
【請求項３】
前記接続部は前記収納ケースに収納されており、
前記接続部は前記カバーを前記収納ケースに対しスライドさせることにより露出し、
前記接続部を前記プリンタと接続した後に前記カバーを前記収納ケースの所定位置に戻すことにより、前記カバーで前記接続部が支持されることを特徴とする請求項１または２に記載の記録紙カセット。
【請求項４】
前記プリンタに接続された状態で、前記接続部が前記記録紙の走行に対し側面ガイドとなることを特徴とする請求項３に記載の記録紙カセット。
【請求項５】
プリンタに接続される記録紙カセットであって、
記録紙を収納する収納ケースと、
前記収納ケースの上面及び側面を覆う外カバーと、
回動可能な状態で前記外カバーに取り付けられている蓋と、
前記収納ケースを前記プリンタに接続するための接続部と、
を有し、
前記蓋には付勢バネが設けられており、
前記蓋と前記収納ケースとの間の記録紙が前記付勢バネの付勢力により、給紙ローラ側に押され、前記プリンタに前記記録紙が給紙されることを特徴とする記録紙カセット。
【請求項６】
前記外カバーの側面には、第１の長穴と、開口部を有する第２の長穴が設けられており、
前記蓋の側面には、前記第１の長穴に入る第１の突起部と、前記第２の長穴に入る第２の突起部が設けられており、
前記外カバーに対し前記蓋をスライドさせ、前記第２の突起部が前記開口部より外に出た際に、前記第１の突起部を軸に前記蓋が回動することを特徴とする請求項５に記載の記録紙カセット。
【請求項７】
前記収納ケースに設けられた、前記記録紙が取り出される開口部と、
前記収納ケースの内側に設けられた、前記収納ケースに収納されている前記記録紙を前記収納ケースの底面側に押すバネを有することを特徴とする請求項５または６に記載の記録紙カセット。
【請求項８】
前記接続部は前記収納ケースに収納されており、
前記接続部を前記プリンタと接続した後に前記蓋を前記収納ケースに対しスライドさせることにより、前記蓋で前記接続部が支持されることを特徴とする請求項５から７のいずれかに記載の記録紙カセット。
【請求項９】
プリンタに接続される記録紙カセットであって、
内部に記録紙を収納する収納ケースと、
前記収納ケースを覆う外カバーと、
前記外カバーと前記収納ケースとの間に設けられた上蓋に取り付けられている、前記記録紙カセットを前記プリンタに接続するための接続部と、
を有し、
前記収納ケースには、付勢バネが設けられており、
前記収納ケースの外面に載置された前記記録紙は、前記付勢バネの付勢力により給紙ローラの側に押され、前記プリンタに前記記録紙が給紙されることを特徴とする記録紙カセット。
【請求項１０】
前記収納ケースは、中蓋部とケース部とを有し、
前記接続部が設けられている側とは反対側を軸に、前記上蓋に対し前記中蓋部及び前記ケース部が回動するものであることを特徴とする請求項９に記載の記録紙カセット。
【請求項１１】
前記収納ケースには、前記記録紙が取り出される開口部と、前記記録紙内の記録紙が露出する取り出し窓とが設けられており、
前記収納ケースの内側には、前記収納ケースに収納されている前記記録紙を押す付勢力を有する記録紙取り出しバネを有し、
前記取り出し窓より露出している記録紙を前記開口部の側に動かすことにより、前記記録紙を前記収納ケースから抜き取ることができることを特徴とする請求項９または１０に記載の記録紙カセット。
【請求項１２】
前記接続部は前記上蓋に収納され、
前記接続部は、前記外カバーを前記上蓋に対しスライドさせることにより露出し、
前記接続部を前記プリンタと接続した後に前記外カバーを前記上蓋の所定位置に戻すことにより、前記外カバーで前記接続部が支持されることを特徴とする請求項９から１１のいずれかに記載の記録紙カセット。
【請求項１３】
前記接続部は外カバーをスライドすることにより出現し、前記接続部を回動した後、前記外カバーを戻すことにより支持され、前記プリンタとの接続を可能とし、収納時には回動し、前記収納ケースに収めた後、前記外カバーを閉じることで、可搬容易性を実現することを特徴とする請求項９に記載の記録紙カセット。
【請求項１４】
前記接続部がプリンタに接続された状態で用紙走行に対し、側面ガイドとなる
ことを特徴とする請求項１３に記載の記録紙カセット。
【発明の詳細な説明】
【技術分野】
【０００１】
本発明は、記録紙カセットに関する。
【背景技術】
【０００２】
従来の携帯型プリンタは箱形に形成されており比較的大きく、バッグ等に入れられて持ち運ばれていたが、携帯型プリンタは小型で軽く、持ち運びやすいものが好ましい。
【先行技術文献】
【特許文献】
【０００３】
【特許文献１】特開２００６−１５９４２７号公報
【特許文献２】特開２００４−３４５８１９号公報
【発明の概要】
【発明が解決しようとする課題】
【０００４】
ところで、携帯型プリンタで単票の記録紙に印刷をする際、記録紙を収納するケースやプリンタに記録紙を供給するためのカットシートフィーダが必要となる場合がある。このため、携帯型プリンタを小型で軽く持ち運びやすくするには、これに対応して、ケースやカットシートフィーダも持ち運びやすくすることが好ましい。
【課題を解決するための手段】
【０００５】
本実施の形態の一観点によれば、プリンタに接続される記録紙カセットであって、記録紙を収納する収納ケースと、前記収納ケースを覆うカバーと、前記収納ケースを前記プリンタに接続するための接続部と、を有し、前記カバーは、前記収納ケースに対しスライド可能であって、前記収納ケースにはバネが設けられており、前記カバーを前記収納ケースに対しスライドさせることにより前記バネが露出し、前記バネの付勢力により、前記カバーに載置されている記録紙が給紙ローラ側に押され、前記プリンタに前記記録紙が給紙されることを特徴とする。
【発明の効果】
【０００６】
開示の記録紙カセットは、記録紙を収納するケースとプリンタに記録紙を供給するカットシートフィーダとの機能を一体化した構造にすることにより、携帯型プリンタに取り付けることができ、小型で持ち運びやすい。
【図面の簡単な説明】
【０００７】
【図１】携帯型のプリンタの斜視図
【図２】携帯型のプリンタの断面図
【図３】第１の実施の形態の記録紙カセットの上面側の斜視図
【図４】第１の実施の形態の記録紙カセットの底面側の斜視図
【図５】第１の実施の形態の記録紙カセットの上面図
【図６】第１の実施の形態の記録紙カセットの正面図
【図７】第１の実施の形態の記録紙カセットの断面図
【図８】第１の実施の形態の記録紙カセットの断面の拡大図
【図９】第１の実施の形態の収納ケースの構造の説明図（１）
【図１０】第１の実施の形態の収納ケースの構造の説明図（２）
【図１１】第１の実施の形態の収納ケースの構造の説明図（３）
【図１２】第１の実施の形態の収納ケースの構造の説明図（４）
【図１３】第１の実施の形態の記録紙カセットの記録紙の補充方法の説明図
【図１４】第１の実施の形態の記録紙カセットのプリンタとの接続の説明図（１）
【図１５】第１の実施の形態の記録紙カセットのプリンタとの接続の説明図（２）
【図１６】第１の実施の形態の記録紙カセットのプリンタとの接続の説明図（３）
【図１７】第１の実施の形態の記録紙カセットのプリンタとの接続の説明図（４）
【図１８】第１の実施の形態の記録紙カセットのプリンタとの接続の説明図（５）
【図１９】第１の実施の形態の記録紙カセットのプリンタとの接続の説明図（６）
【図２０】第１の実施の形態の記録紙カセットのプリンタとの接続の説明図（７）
【図２１】第１の実施の形態の記録紙カセットを用いた印刷の説明図
【図２２】第１の実施の形態の記録紙カセットの記録紙の設置の説明図（１）
【図２３】第１の実施の形態の記録紙カセットの記録紙の設置の説明図（２）
【図２４】第１の実施の形態の記録紙カセットの記録紙の設置の説明図（３）
【図２５】第１の実施の形態の記録紙カセットの記録紙の設置の説明図（４）
【図２６】第２の実施の形態の記録紙カセットの斜視図（１）
【図２７】第２の実施の形態の記録紙カセットの斜視図（２）
【図２８】第２の実施の形態の記録紙カセットの正面図
【図２９】第２の実施の形態の記録紙カセットの背面図
【図３０】第２の実施の形態の記録紙カセットの側面図
【図３１】第２の実施の形態の記録紙カセットの断面図
【図３２】第２の実施の形態の記録紙カセットの構造の説明図（１）
【図３３】第２の実施の形態の記録紙カセットの構造の説明図（２）
【図３４】第２の実施の形態の記録紙カセットの構造の説明図（３）
【図３５】第２の実施の形態の記録紙カセットの構造の説明図（４）
【図３６】第２の実施の形態の記録紙カセットの記録紙の補充方法の説明図（１）
【図３７】第２の実施の形態の記録紙カセットの記録紙の補充方法の説明図（２）
【図３８】第２の実施の形態の記録紙カセットの記録紙の補充方法の説明図（３）
【図３９】第２の実施の形態の記録紙カセットのプリンタとの接続の説明図（１）
【図４０】第２の実施の形態の記録紙カセットのプリンタとの接続の説明図（２）
【図４１】第２の実施の形態の記録紙カセットのプリンタとの接続の説明図（３）
【図４２】第２の実施の形態の記録紙カセットのプリンタとの接続の説明図（４）
【図４３】第２の実施の形態の記録紙カセットの記録紙の設置の説明図（１）
【図４４】第２の実施の形態の記録紙カセットの記録紙の設置の説明図（２）
【図４５】第２の実施の形態の記録紙カセットの記録紙の設置の説明図（３）
【図４６】第２の実施の形態の記録紙カセットの記録紙の設置の説明図（４）
【図４７】第２の実施の形態の記録紙カセットの記録紙の設置の説明図（５）
【図４８】第２の実施の形態の記録紙カセットの記録紙の設置の説明図（６）
【図４９】携帯情報端末に取り付けられた記録紙カセットの斜視図（１）
【図５０】携帯情報端末に取り付けられた記録紙カセットの斜視図（２）
【図５１】第３の実施の形態の記録紙カセットの斜視図
【図５２】第３の実施の形態の記録紙カセットの上面図
【図５３】第３の実施の形態の記録紙カセットの正面図
【図５４】第３の実施の形態の記録紙カセットの側面図
【図５５】第３の実施の形態の記録紙カセットの構造の説明図
【図５６】第３の実施の形態の記録紙カセットの記録紙の補充方法の説明図
【図５７】第３の実施の形態の記録紙カセットのスライド部の説明図（１）
【図５８】第３の実施の形態の記録紙カセットのスライド部の説明図（２）
【図５９】第３の実施の形態の記録紙カセットの記録紙の設置の説明図（１）
【図６０】第３の実施の形態の記録紙カセットの記録紙の設置の説明図（２）
【図６１】第３の実施の形態の記録紙カセットの記録紙の設置の説明図（３）
【図６２】第３の実施の形態の記録紙カセットの記録紙の設置の説明図（４）
【図６３】第３の実施の形態の記録紙カセットのプリンタとの接続の説明図（１）
【図６４】第３の実施の形態の記録紙カセットのプリンタとの接続の説明図（２）
【図６５】第３の実施の形態の記録紙カセットのプリンタとの接続の説明図（３）
【図６６】第３の実施の形態の記録紙カセットのプリンタとの接続の説明図（４）
【図６７】第３の実施の形態の記録紙カセットのプリンタとの接続の説明図（５）
【図６８】第３の実施の形態の記録紙カセットのプリンタとの接続の説明図（６）
【図６９】携帯情報端末に取り付けられた記録紙カセットの斜視図
【発明を実施するための形態】
【０００８】
本発明を実施するための形態について、以下に説明する。尚、同じ部材等については同一の符号を付して説明を省略する。本願において、Ｘ１−Ｘ２方向、Ｙ１−Ｙ２方向、Ｚ１−Ｚ２方向を相互に直交する方向とする。また、Ｘ１−Ｘ２方向及びＹ１−Ｙ２方向を含む面をＸＹ面と記載し、Ｙ１−Ｙ２方向及びＺ１−Ｚ２方向を含む面をＹＺ面と記載し、Ｚ１−Ｚ２方向及びＸ１−Ｘ２方向を含む面をＺＸ面と記載する。
【０００９】
（プリンタ）
最初に、本実施の形態による記録紙カセットが取り付けられる携帯型のプリンタ１０について説明する。プリンタ１０は円柱状のペン型に形成されており、ペン型プリンタとも呼ばれる。プリンタ１０について図１及び図２に基づき説明する。図１はプリンタ１０の斜視図であり、図２はプリンタ１０の断面図である。プリンタ１０は、プリンタ機能と無線による通信機能とを有しているＩｏＴ（Internet of Things）デバイスである。
【００１０】
プリンタ１０は、サーマルヘッド等の印刷ヘッド１１、プラテンローラ１２、給紙ローラ１３、記録紙ガイド１４、加圧バネ、制御基板１６、内蓋５０、外蓋６０を有している。印刷ヘッド１１は加圧バネによりプラテンローラ１２に押されている。記録紙は、給紙ローラ１３が設けられている側から記録紙ガイド１４に沿ってプリンタ１０に入り、印刷ヘッド１１とプラテンローラ１２との間で挟まれた状態で、プラテンローラ１２により搬送されながら印刷されて排紙される。制御基板１６には、プリンタ１０の制御を行う電子回路や電子部品が搭載されている。
【００１１】
内蓋５０及び外蓋６０は円筒状であり、外蓋６０の内側に内蓋５０が入るように形成されている。内蓋５０にはその母線に沿って開口している給紙口５１及び排紙口５２が設けられており、外蓋６０にはその母線に沿って開口している給紙口６１及び排紙口６２が設けられている。外蓋６０は内蓋５０に対し回転可能である。
【００１２】
プリンタ１０により印刷を行う際には、内蓋５０の給紙口５１と外蓋６０の給紙口６１の位置が一致して開いており、内蓋５０の排紙口５２と外蓋６０の排紙口６２の位置が一致して開いている。このように開いている給紙口５１及び給紙口６１より記録紙がプリンタ１０に入り、排紙口５２及び排紙口６２より排紙される。プリンタ１０には、給紙口５１、６１が開放している状態で記録紙カセット１００を給紙口６１に接続できる。
【００１３】
プリンタ１０で印刷を行う際には、印刷データが不図示の携帯情報端末よりプリンタ１０にＢＬＥ（Bluetooth Low Energy）等の無線通信により送信される。このため、プリンタ１０の内部には無線通信を行うためのアンテナが内蔵されている。
【００１４】
プリンタ１０には、充電池であるリチウムイオン電池が入れられた電源８０が設けられており、リチウムイオン電池より供給された電力により、プリンタ１０を駆動することができる。プリンタ１０には、充電池に充電するための不図示のコネクタが内蔵されている。
【００１５】
プリンタ１０は、直径が約１８ｍｍ、長さは約１６５ｍｍ〜１７０ｍｍと小型であり、ストレスを伴うことなく持ち運びができる。プリンタ１０にはフック９０が設けられており、ペンと同様に胸のポケット等にさした状態で持ち運ぶことが可能である。
【００１６】
（記録紙カセットの構造）
次に、第１の実施の形態による記録紙カセット１００について説明する。本実施の形態による記録紙カセット１００は、単票の記録紙を収納する記録紙ケースと、プリンタ１０に記録紙を供給するカットシートフィーダとの機能を一体化させたものである。図３は本実施の形態による記録紙カセット１００の上面斜視図であり、図４は底面斜視図であり、図５は上面図であり、図６は正面図であり、図７は断面図であり、図８は断面の要部拡大図である。
【００１７】
記録紙カセット１００は外観が略直方体であり、外カバー１１０と収納ケース１２０とを有している。外カバー１１０はＹ２側が開口しており、外カバー１１０の開口部分より、収納ケース１２０が内部に入れられている。外カバー１１０の上面１１０ａのＸ１側の端及びＸ２側の端のＹ２側には、Ｙ１−Ｙ２方向に沿った溝１１１が設けられている。また、外カバー１１０の底面１１０ｂには、記録紙を補充するための補充窓１１２が形成されている。
【００１８】
次に、本実施の形態による収納ケース１２０について説明する。図９は収納ケース１２０の上面斜視図であり、図１０は収納ケース１２０の裏面側を取り除いた状態を示す。図１１及び図１２は裏面斜視図である。図１１は記録紙１０１が収納されていない状態の収納ケース１２０を示し、図１２は記録紙１０１が収納されている状態の収納ケース１２０を示す。
【００１９】
収納ケース１２０は、外カバー１１０の内側に入る、略直方体の箱状のものである。収納ケース１２０の上面１２０ａには記録紙を付勢する付勢バネ１３１が取り付けられており、Ｘ１側、Ｘ２側の各々の端には接続支持部１４０が設けられている。付勢バネ１３１は板バネであり、収納ケース１２０が外カバー１１０に入れられている状態でＺ１方向に付勢力が働く。付勢バネ１３１は、後述するように、外カバー１１０上に載置された記録紙１０１をプリンタ１０の側に持ち上げ、プリンタ１０の内部に入りやすくするために設けられている。接続支持部１４０は、Ｙ１−Ｙ２方向を軸に回動可能に収納ケース１２０に取り付けられている。接続支持部１４０は板状に形成されており、Ｙ２側の端には、給紙ローラ１３のシャフトと接続される爪１４１が設けられている。
【００２０】
収納ケース１２０の内側には、例えば、Ａ８の単票の記録紙１０１が入る空間が形成されている。この空間はＸ１−Ｘ２方向が短手方向、Ｙ１−Ｙ２が長手方向となっている。収納ケース１２０の底面１２０ｂのＹ１側には、収納ケース１２０に記録紙１０１を補充するための補充窓１２１が設けられている。また、収納ケース１２０のＹ２側には、記録紙を取り出すための開口１２２と、開口１２２より記録紙１０１を抜き取るために指等を入れることのできる取り出し窓１２３が設けられている。
【００２１】
図１０に示すように、収納ケース１２０の内面１２０ｃには、記録紙取り出し用のバネ１３２が取り付けられている。バネ１３２は、収納ケース１２０内の記録紙１０１に接し、記録紙１０１を取り出し窓１２３側に押す付勢力が働く。図１２に示す取り出し窓１２３に入れた指等を収納ケース１２０内の記録紙１０１に接触させた状態でＹ２方向に動かすことにより、一番上の記録紙１０１を開口１２２より１枚抜き取ることができる。
【００２２】
記録紙１０１を収納ケース１２０に入れる際には、図４に示される状態より外カバー１１０を収納ケース１２０に対しＹ１方向にスライドさせ、図１３に示されるように外カバー１１０の補充窓１１２の位置と収納ケース１２０の補充窓１２１の位置を一致させ、補充窓１１２及び補充窓１２１より記録紙１０１を収納ケース１２０に入れる。補充窓１１２及び補充窓１２１のＸ１−Ｘ２方向の幅は、記録紙１０１の短手方向の幅よりも若干広く形成されている。収納ケース１２０に記録紙１０１を入れた後は、図１３に示される状態より外カバー１１０をＹ２方向にスライドさせ、図１２に示される状態にする。
【００２３】
（プリンタへの接続）
次に、本実施の形態による記録紙カセット１００のプリンタ１０への接続について説明する。本実施の形態による記録紙カセット１００をプリンタ１０に接続する際には、最初に、収納ケース１２０に取り付けられている接続支持部１４０をＺ１方向に向けて立てる。具体的には、図３に示される状態より外カバー１１０を収納ケース１２０に対しＹ１方向にスライドさせることにより図１４に示される状態となり、更に外カバー１１０をスライドさせることにより接続支持部１４０が露出し、図１５に示されるように接続支持部１４０を立てることができる。
【００２４】
接続支持部１４０の面は、外カバー１１０に収納されている状態ではＸＹ面と平行となっているが、外カバー１１０をスライドさせて露出させることにより、Ｙ１−Ｙ２方向を軸に回動可能な状態となる。この状態で接続支持部１４０を回動させてＺ１方向に向けて立てＹＺ面と平行な状態にすることができる。収納ケース１２０には、外カバー１１０内に収納ケース１２０が入れられた状態で接続支持部１４０を収納できるように、接続支持部１４０の形状に対応した収納用の凹部１２４が設けられている。
【００２５】
図１５に示されるように接続支持部１４０を立てた後、収納ケース１２０に対して外カバー１１０をＹ２方向にスライドさせる。これにより、図１６に示されるように、板状の接続支持部１４０の各々は、外カバー１１０の溝１１１に入り込み、溝１１１により接続支持部１４０が支持され接続支持部１４０が立った状態が保たれる。図１６の状態から更に収納ケース１２０に対して外カバー１１０をＹ２方向にスライドさせることにより、図１７に示される状態となる。
【００２６】
本実施の形態では、爪１４１が設けられている接続支持部１４０を立てた状態で、図１８〜図２０に示されるように記録紙カセット１００をプリンタ１０に接続する。具体的には、外カバー１１０を収納ケース１２０に対しＹ１方向に少し動かし、付勢バネ１３１の一部を露出させた状態で、爪１４１を給紙ローラ１３のシャフトに引っ掛けることにより、記録紙カセット１００をプリンタ１０に接続する。この状態では、付勢バネ１３１の付勢力により、載置された記録紙１０１を上方向に持ち上げられる。図１８はプリンタ１０に接続されている状態の記録紙カセット１００の上面斜視図、図１９は底面斜視図、図２０は断面図である。
【００２７】
（プリンタへの給紙）
次に、プリンタ１０により記録紙に印刷を行うための、記録紙カセット１００を用いたプリンタ１０への記録紙の給紙について説明する。記録紙は記録紙カセット１００がプリンタ１０に接続されている状態で給紙される。図１９に示されるように、記録紙カセット１００がプリンタ１０に接続されている状態で取り出し窓１２３に指を入れて、記録紙１０１を指でＹ２方向に動かすことにより、図２２に示されるように図示一番上の記録紙１０１を矢印Ａ方向、即ちＹ２方向に動かして、収納ケース１２０より記録紙１０１を１枚抜き取る。尚、図１９に示される状態においては、収納ケース１２０の補充窓１２１は、外カバー１１０の補充窓１１２が設けられていない領域で塞がれている。
【００２８】
次に、図２３に示されるように、外カバー１１０の上面１１０ａに抜き取った記録紙１０１を載置し、矢印Ｂに示すようにプリンタ１０側に記録紙１０１を動かしてプリンタ１０に差し込む。次に、図２４に示されるように、外カバー１１０を矢印Ｃ方向、即ちＹ１方向に少しスライドさせる。これにより、図２５に示すように、収納ケース１２０の上面１２０ａに設けられている付勢バネ１３１が外カバー１１０から露出し、付勢バネ１３１の付勢力により記録紙１０１がプリンタ１０側に持ち上げられて給紙ローラに接触する。これにより、記録紙１０１が給紙されやすい状態となる。図２５は、付勢バネ１３１が露出した状態の、プリンタ１０から取り外されている記録紙カセット１００を示す。尚、接続支持部１４０は、記録紙１０１をガイドする記録紙ガイドとしての機能も有している。
【００２９】
外カバー１１０をＹ１方向にスライドさせて付勢バネ１３１を露出させ、上面１１０ａに載置されている記録紙１０１のＹ２側端部を上に持ち上げることにより、図２１に示されるように、記録紙１０１を給紙ローラ１３に確実に接触させることができる。一方、図２３の状態では外カバー１１０が閉じており、付勢バネ１３１が露出していないので、上面１１０ａ上の記録紙１０１には付勢バネ１３１の付勢力が与えられず、矢印Ｂ方向への記録紙１０１の差し込みに支障は生じない。
【００３０】
尚、給紙時には記録紙１０１の先端は図２５に示す状態よりもＹ２側に位置するが、付勢バネ１３１などの説明の便宜上、図２５では記録紙１０１の先端は若干Ｙ１側に位置している。
【００３１】
図２４に示すように外カバー１１０の上面１１０ａに記録紙１０１が載置された状態で印刷が開始されると、外カバー１１０の上面１１０ａに載置されている記録紙１０１が給紙ローラ１３によってプリンタ１０内部に取り込まれる。その後、プリンタ１０に設けられたセンサが記録紙１０１の先端を検出すると、記録紙１０１が吸入されたと判断され、記録紙１０１がプリンタ１０の内部に供給され印刷がなされる。
【００３２】
本実施の形態による記録紙カセット１００は、記録紙１０１を収納するケースとしての機能とカットシートフィーダとしての機能とを有しており、これらの機能が一体化されているため、各々の機構を別々に設けた場合と比べて記録紙カセットを小型で軽量にすることができ、また、持ち運びもしやすい。
【００３３】
〔第２の実施の形態〕
（記録紙カセットの構造）
次に、第２の実施の形態による記録紙カセット２００について説明する。記録紙カセット２００も、単票を収納する記録紙ケースとプリンタ１０に単票を供給するカットシートフィーダとの機能を一体化させたものである。図２６は本実施の形態による記録紙カセット２００の上面側の斜視図であり、図２７は底面側の斜視図であり、図２８は正面図であり、図２９は背面図であり、図３０は側面図であり、図３１は断面図である。図３２は、外カバー２１０が取り外された記録紙カセット２００を示す。尚、図２８に示されるように、第２の突起２４２は、「Ｈ」字状をしており、第２の突起２４２の幅狭部分が第２の長穴２１２に入っている。
【００３４】
本実施の形態による記録紙カセット２００は外観が略直方体であり、外カバー２１０、収納ケース２２０、蓋２４０を有している。外カバー２１０はＺ１側に設けられた天板２１０ａと、天板２１０ａのＸ１側及びＸ２側に設けられた側板２１０ｂとを有している。各々の側板２１０ｂには、Ｙ１側に第１の長穴２１１が設けられており、Ｙ２側に第２の長穴２１２が設けられている。第１の長穴２１１及び第２の長穴２１２はＹ１−Ｙ２方向に細長く形成されている。第１の長穴２１１は閉じられているが、第２の長穴２１２にはＹ２側に開口２１２ａが設けられている。
【００３５】
収納ケース２２０は、図３１に示されるようにケース２２１と、ケース２２１に取り付けられる中蓋２２２を有し、略直方体の箱形に形成されている。外カバー２１０に収納されている状態では、収納ケース２２０のＺ１側の面、Ｘ１側の面、Ｘ２側の面は、外カバー２１０に覆われる。ケース２２１と中蓋２２２に囲まれた空間には記録紙１０１が収納される。
【００３６】
ケース２２１のＹ２側には、プリンタ１０に記録紙カセット２００を接続するための２つの爪２２３が設けられており、Ｙ１側には記録紙を供給する際に開く蓋２２４が設けられている。
【００３７】
図３３に示すように、ケース２２１の内側の天面２２１ａにはバネ２３２が設けられている。バネ２３２は、収納ケース２２０に収納されている記録紙１０１をＺ２側に押し、記録紙１０１を取り出しやすくするために設けられている。ケース２２１には、２つの爪２２３がＺ１−Ｚ２方向の軸２２３ａを中心に回動可能な状態で取り付けられている。また、蓋２２４は、Ｘ１−Ｘ２方向を軸にＹ１方向に回動可能な状態でケース２２１に取り付けられている。
【００３８】
図３４に示すように、中蓋２２２は板状に形成されており、収納ケース２２０のＺ２側に取り付けられる。中蓋２２２には、内の記録紙１０１を取り出すために指が入れられる開口２２５がＹ２側に設けられている。
【００３９】
収納ケース２２０のＺ２側には開閉可能な蓋２４０が設けられている。図３５に示されるように、蓋２４０のＸ１側面及びＸ２側面には各々、Ｙ１側にピン状の第１の突起２４１が設けられており、Ｙ２側には第２の突起２４２が設けられている。第１の突起２４１は円柱状に形成されており、第２の突起２４２は可動操作しやすいように略長方形に形成されている。図２６及び図３０に示されるように、記録紙カセット２００と組み合わされた状態では、第１の突起２４１は第１の長穴２１１の中に入っており、第１の長穴２１１内を自由に動くことができ、第２の突起２４２は第２の長穴２１２内を動くことができるとともに開口２１２ａより外に出ることができる。
【００４０】
図３５に示されるように、蓋２４０の面２４０ａ、即ちＺ１側の面のＹ２側に付勢バネ２３１が設けられている。付勢バネ２３１は、図２６や図３１に示されるように、蓋２４０が閉じられた状態でＺ１方向に付勢力が働く板バネであり、付勢バネ２３１の付勢力により、収納ケース２２０と蓋２４０との間に入れられた記録紙１０１をプリンタ１０側に押し上げることができる。
【００４１】
（記録紙の補充方法）
次に、本実施の形態による収納ケース２２０への記録紙１０１の補充について説明する。記録紙カセット２００に記録紙１０１を補充する際には、図３６に示すように外カバー２１０に対し蓋２４０をＹ２方向にスライドさせて、蓋２２４のＺ２側の面を露出させる。この際、外カバー２１０に対して収納ケース２２０は動かない。
【００４２】
外カバー２１０に対し蓋２４０をＹ２方向にスライドさせる際には、第１の突起２４１が第１の長穴２１１内をＹ２方向に移動し、第２の突起２４２は第２の長穴２１２内をＹ２方向に移動する。尚、第２の突起２４２は開口２１２ａより一部が外に出ていてもよい。
【００４３】
次に、図３６に示す状態より、蓋２２４に設けられた開閉フック２２４ａに指等を接触させて蓋２２４をＹ１側に倒すことにより、Ｘ１−Ｘ２方向を軸に蓋２２４がＹ１方向に回動する。これにより、図３７に示されるように蓋２２４を開くことができる。この状態で、図３８に示されるように、蓋２２４が開いた部分より記録紙１０１を収納ケース２２０に入れる。この後、蓋２２４をＹ２方向回動させて図３６に示される状態に戻す。この後、外カバー２１０に対し蓋２４０をＹ１方向にスライドさせて、図２７に示される状態にする。
【００４４】
（プリンタへの接続）
次に、本実施の形態による記録紙カセット２００のプリンタ１０への接続について説明する。
【００４５】
記録紙カセット２００をプリンタ１０に接続する際には、最初に、図２６に示される状態より、図３９に示すように外カバー２１０に対し蓋２４０をＹ２方向にスライドさせる。次に、図４０に示すように、収納ケース２２０に設けられている２つの爪２２３をＹ２側に出す。爪２２３は、Ｚ１−Ｚ２方向の軸２２３ａを中心に回動可能な状態でケース２２１に取り付けられているため、各々の爪２２３を回動させることによりＹ２側に出すことができる。図４１は、爪２２３が出ている状態の拡大図である。ケース２２１から出ている状態では、爪２２３に加わる力が強いと、爪２２３が折れたり、ケース２２１から外れたりする可能性がある。このため、爪２２３の下側の面、即ち、Ｚ２側の面を蓋２４０の支持面２４４により支持することにより、爪２２３が折れたりすることを防いでいる。
【００４６】
爪２２３には「Ｃ」字状のクリップ２２３ｂが設けられている。クリップ２２３ｂの開口２２３ｃに給紙ローラ１３のシャフトを入れることにより、記録紙カセット２００をプリンタ１０に取り付けることができる。図４２は、プリンタ１０に取り付けられている状態の記録紙カセット２００を示す斜視図である。
【００４７】
（プリンタへの給紙）
次に、記録紙カセット２００を用いたプリンタ１０への記録紙の給紙について説明する。記録紙は、記録紙カセット２００がプリンタ１０に接続されている状態で給紙される。
【００４８】
図４３に示されるように、記録紙カセット２００がプリンタ１０に接続されている状態で、蓋２４０を外カバー２１０に対しＹ２方向にスライドさせる。これにより、第１の突起２４１が第１の長穴２１１内をＹ２方向に移動し、第２の突起２４２は第２の長穴２１２内をＹ２方向に移動する。第１の長穴２１１は閉じられているため、第１の長穴２１１内を移動する第１の突起２４１は第１の長穴２１１の外に出ることはないが、第２の長穴２１２はＹ２側に開口２１２ａが設けられているため、蓋２４０をＹ２方向にスライドさせると、第２の突起２４２は開口２１２ａより外に出る。この状態では、蓋２４０は第１の長穴２１１に入っている第１の突起２４１のみにより支持されているため、蓋２４０が第１の突起２４１を中心にＸ１−Ｘ２方向を軸に回動可能な状態となり、図４４に示すように蓋２４０を開くことができる。
【００４９】
蓋２４０を開くことにより、図４５に示されるように、中蓋２２２が露出し、開口２２５に指を入れ収納ケース２２０内の記録紙１０１に接触させてＹ２方向に動かす。これにより、記録紙１０１を１枚収納ケース２２０より抜き取ることができる。抜き取られた記録紙１０１は、図４６に示されるように蓋２４０の内側の面２４０ａに載置される。図４４は、蓋２４０の面２４０ａに記録紙１０１が載置される前の状態を示している。
【００５０】
この後、第１の突起２４１を中心に回動させることにより、図４７に示されるように蓋２４０を閉じる。この状態の断面図を図４８に示す。図４８には図示はされてはいないが、この状態では給紙ローラ１３のシャフトはクリップ２２３ｂの開口２２３ｃに入っており、記録紙カセット２００がプリンタ１０に接続されている。また、中蓋２２２と蓋２４０との間に入っている記録紙１０１は、蓋２４０の面２４０ａに取り付けられている付勢バネ２３１の付勢力により、給紙ローラ１３に接触するように押されている。
【００５１】
この状態で印刷を開始することにより、給紙ローラ１３が図４８の図示で反時計回りに回転し、プリンタ１０に記録紙１０１が給紙され、プラテンローラ１２が時計回りに回転し、記録紙１０１への印刷がなされる。
【００５２】
記録紙カセット２００が接続されているプリンタ１０には、図４９〜図５０に示されるようにスマートフォン等の携帯情報端末２８０に取り付けることができる。携帯情報端末２８０にカバー２８１が取り付けられているおり、記録紙カセット２００とカバー２８１と平板２８２とが、接着等により接続されている。本実施の形態のプリンタ１０は、携帯情報端末２８０から無線通信により情報を受信し、記録紙１０１に印刷することができる。
【００５３】
尚、上記以外の内容については、第１の実施の形態と同様である。
【００５４】
〔第３の実施の形態〕
（記録紙カセットの構造）
次に、第３の実施の形態による記録紙カセット３００について説明する。記録紙カセット３００も、単票を収納する記録紙ケースと単票を供給するカットシートフィーダとの機能を一体化させたものである。図５１は本実施の形態による記録紙カセット３００の上面側の斜視図であり、図５２は上面図であり、図５３は正面図であり、図５４は側面図である。
【００５５】
外観が略直方体の記録紙カセット３００は、外カバー３１０、収納ケース３２０を有している。外カバー３１０はＺ１側に設けられた天板３１０ａと、天板３１０ａのＸ１側及びＸ２側の各々に設けられた側板３１０ｂとを有している。
【００５６】
収納ケース３２０はケース３２１と中蓋３２２を有し、略直方体の箱形に形成されており、中蓋３２２側、即ちＺ１側は外カバー３１０に覆われている。ケース３２１と中蓋３２２に囲まれた空間には、記録紙１０１を収納することができる。
【００５７】
図５５に示されるように、記録紙カセット３００は、外カバー３１０の内側にプリンタ１０との接続を行う爪３２３を収納する上蓋３４０が取り付けられており、Ｙ２側の端部にはプリンタ１０の給紙ローラ１３及びシャフトとの干渉逃げの為の切り欠きが設けられ、Ｙ１側の端部で、外カバー３１０の内側の上蓋３４０、中蓋３２２、ケース３２１がそれぞれ、Ｘ１−Ｘ２方向を軸に回動可能な状態で接続されている。
【００５８】
外カバー３１０の側板３１０ｂにはＬ字状の溝３１１が設けられている。溝３１１は、Ｙ１−Ｙ２方向に沿った水平溝３１１ａと水平溝３１１ａのＹ２側の端よりＺ２方向に伸びる垂直溝３１１ｂとを有し、垂直溝３１１ｂのＺ２側が開口している。
【００５９】
中蓋３２２は板状に形成されており、Ｚ１側の面３２２ａに付勢バネ３３１が設けられている。付勢バネ３３１は、外カバー３１０と中蓋３２２とが閉じられた状態でＺ１方向に付勢力が働く板バネであり、付勢バネ３３１の付勢力により、面３２２ａに載置され外カバー３１０と中蓋３２２のとの間に入れられた記録紙１０１をプリンタ１０側に押し上げることができる。
【００６０】
また、中蓋３２２の面３２２ａにはＹ１−Ｙ２方向に伸びる複数のリブ３２４が設けられている。リブ３２４は、面３２２ａの表面からＺ１方向に出っ張っている。これにより、面３２２ａに載置された記録紙１０１と中蓋３２２との接触部分が減るため、プリンタ１０に記録紙１０１が供給される際の記録紙１０１と中蓋３２２との摩擦を減らすことができる。また、中蓋３２２のＹ２側には、収納ケース３２０内部の記録紙１０１を取り出すために指などが入れられる開口３２５が設けられている。
【００６１】
ケース３２１の中蓋３２２と対向する面３２１ａには、バネ３３２が設けられている。バネ３３２は、収納ケース３２０内部の記録紙１０１をＺ１方向の側に押し、記録紙１０１を取り出しやすくするために設けられている。
【００６２】
また、ケース３２１のＸ１側及びＸ２側の各々の側面３２１ｂの外側には、側板３１０ｂに設けられた溝３１１に入り込む、側面３２１ｂに対しＹ１−Ｙ２方向にスライド可能なスライド部３２６が設けられている。スライド部３２６は、図５７及び図５８に示されるように、外側部３２６ａ、内側部３２６ｂ、外側部３２６ａと内側部３２６ｂとを接続する円柱状の接続部３２６ｃとを有している。外側部３２６ａはケース３２１の側面３２１ｂの外側、内側部３２６ｂはケース３２１の側面３２１ｂの内側に位置しており、スライド部３２６は、側面３２１ｂに形成されている長穴３２１ｃに接続部３２６ｃが入った状態で側面３２１ｂに取り付けられている。
【００６３】
スライド部３２６は、ケース３２１に対しＹ１方向に付勢バネ３２７により付勢されており、蓋が閉じている状態では付勢バネ３２７によりＹ１方向に変位しており、接続部３２６ｃは水平溝３１１ａ内に入っている。よって外カバー３１０はスライド部３２６によって閉じた状態に保持されている。
【００６４】
カセットを開ける場合、スライド部３２６をＹ２方向に変位させる。図６８の状態では、接続部３２６ｃは水平溝３１１ａ内にあり、外カバー３１０は閉じた状態に保持されている。また、ケース３２１のＹ２側端面はプリンタ１０の給紙口の壁につき当たっている。
【００６５】
この状態からスライド部３２６を更にＹ２方向に変位させると、付勢バネ３２７に抗してスライド部３２６がケース３２１に対しＹ２方向に移動し、接続部３２６ｃが垂直溝３１１ｂのＺ１端に移動する。この状態で外カバー３１０をＺ２方向に引くと、接続部３２６ｃは垂直溝３１１ｂを移動して、外カバー３１０を開くことが出来る。この２段操作で不用意にスライド部３２６がスライドして蓋が開くことを防止している。
【００６６】
（記録紙の補充方法）
次に、本実施の形態による収納ケース３２０への記録紙１０１の補充について説明する。記録紙カセット３００に記録紙１０１を補充する際には、図５５に示されるようにケース３２１と中蓋３２２とが開いた状態で、図５６に示すようにケース３２１内に記録紙１０１を入れる。この後、図５９に示されるようにケース３２１側に中蓋３２２を回動させ閉じることにより、収納ケース３２０に記録紙１０１が収納される。この後、外カバー３１０を収納ケース３２０の側に回動させて閉じることにより、図５１に示される状態となる。
【００６７】
（記録紙の設置）
次に、本実施の形態による収納ケース３２０内の記録紙１０１を取り出して設置する方法について説明する。収納ケース３２０内の記録紙１０１を取り出す際には、図５１に示される状態から収納ケース３２０を回動させて、図５９に示されるように中蓋３２２を露出させる。この状態で開口３２５に指を入れて収納ケース３２０内の記録紙１０１をＹ２方向に動かすことにより、図６０に示されるように、収納ケース３２０内の記録紙１０１を１枚収納ケース３２０より抜き取ることができる。
【００６８】
抜き取られた記録紙１０１は、図６１に示されるように中蓋３２２の面３２２ａ上に載置される。この後、外カバー３１０を収納ケース３２０の側に回動させて閉じることにより、図６２に示される状態となる。この状態では、中蓋３２２上に載置された記録紙１０１は外カバー３１０と収納ケース３２０との間に入っている。この際、接続部３２６ｃが溝３１１に入り込んでいる。
【００６９】
（プリンタへの接続）
次に、記録紙カセット３００のプリンタ１０への接続について説明する。記録紙カセット３００をプリンタ１０に接続する際には、最初に、図５１に示される状態より、図６３に示すように、収納ケース３２０に対し外カバー３１０をＹ１方向にスライドさせる。外カバー３１０の内側、即ち、外カバー３１０の中蓋３２２と対向する側には上蓋３４０が設けられている。
【００７０】
側板３１０ｂのＹ１側には第１の長穴３１３が、Ｙ２側には第２の長穴３１４が設けられている。第１の長穴３１３及び第２の長穴３１４は、それぞれＹ１−Ｙ２方向に細長く形成されており閉じられている。一方、上蓋３４０のＸ１−Ｘ２方向の側面には、Ｙ１側に第１の突起３４１が、Ｙ２側に第２の突起３４２が、それぞれ設けられている。
【００７１】
外カバー３１０と上蓋３４０とは、第１の突起３４１が第１の長穴３１３の中に入り込み、第２の突起３４２が第２の長穴３１４の中に入り込んだ状態で接続されている。第１の突起３４１は第１の長穴３１３内を自由に動くことができ、第２の突起３４２は第２の長穴３１４内を自由に動くことができる。これにより、上蓋３４０に対し外カバー３１０をＹ１−Ｙ２方向にスライドさせることができる。
【００７２】
上蓋３４０のＹ２側には、Ｘ１−Ｘ２方向の両側に爪３２３が設けられている。収納ケース３２０に対し外カバー３１０をＹ１方向にスライドさせることにより、図６３に示すように、上蓋３４０の一部が露出し、ＸＹ面に平行な方向に倒れている爪３２３が露出する。
【００７３】
爪３２３は、上蓋３４０にＹ１−Ｙ２方向を軸に回動可能な状態で取り付けられており、図６３に示されるように爪３２３を露出させることにより、図６４に示すように爪３２３をＹＺ面と平行となるようにＺ１方向に向けて立てることができる。この後、図６５に示すように外カバー３１０をＹ２方向にスライドさせる。爪３２３にはＹ１−Ｙ２方向に沿った支持部３２３ａが設けられており、天板３１０ａにはＹ１−Ｙ２方向に細長く形成された溝３１２が設けられている。従って、外カバー３１０を収納ケース３２０に対しＹ２方向にスライドさせると、爪３２３の支持部３２３ａが溝３１２に入り込み、溝３１２により支持部３２３ａが支持される。尚、図６６は面３２２ａに記録紙１０１が載置されている状態の記録紙カセット３００を示す。
【００７４】
爪３２３はクリップ状に形成されており、爪３２３の開口に給紙ローラ１３のシャフトを入れることにより、図６７及び図６８に示されるように、記録紙カセット３００をプリンタ１０に取り付けることができる。図６７は、プリンタ１０に取り付けられた状態の記録紙カセット３００を示す斜視図であり、図６８は断面図である。
【００７５】
本実施の形態で、記録紙カセット３００をプリンタ１０に取り付けた状態で、プリンタ１０により印刷を行う。中蓋３２２の面３２２ａ上に載置された記録紙１０１は、面３２２ａに設けられている付勢バネ３３１の付勢力により、給紙ローラ１３に接触するように押されている。
【００７６】
この状態でプリンタ１０による印刷を開始することにより、給紙ローラ１３が図６８の図示で反時計回りに回転し、プリンタ１０に記録紙１０１が給紙され、プラテンローラ１２が時計回りに回転し、プリンタ１０による記録紙１０１への印刷がなされる。
【００７７】
記録紙カセット３００が接続されているプリンタ１０は、図６９に示されるようにスマートフォン等の携帯情報端末２８０に取り付けることができる。携帯情報端末２８０に取り付けられたカバー２８１は、記録紙カセット３００と接着等により接続されている。プリンタ１０は、携帯情報端末２８０から無線通信により情報を受信し、記録紙１０１に印刷することができる。図６９は、携帯情報端末２８０が取り付けられた状態のプリンタ１０の斜視図である。
【００７８】
尚、上記以外の内容については、第１の実施の形態と同様である。
【００７９】
以上、本発明の実施に係る形態について説明したが、上記内容は、発明の内容を限定するものではない。
【符号の説明】
【００８０】
１０        プリンタ
１３        給紙ローラ
１００      記録紙カセット
１０１      記録紙
１１０      カバー
１１０ａ    上面
１１０ｂ    底面
１１１      溝
１１２      補充窓
１２０      収納ケース
１２０ａ    上面
１２１      補充窓
１２２      開口
１２３      取り出し窓
１２４      凹部
１３１      付勢バネ
１３２      バネ
１４０      接続支持部
１４１      爪
【図１】
2019112170.tif 000003
【図２】
2019112170.tif 000004
【図３】
2019112170.tif 000005
【図４】
2019112170.tif 000006
【図５】
2019112170.tif 000007
【図６】
2019112170.tif 000008
【図７】
2019112170.tif 000009
【図８】
2019112170.tif 000010
【図９】
2019112170.tif 000011
【図１０】
2019112170.tif 000012
【図１１】
2019112170.tif 000013
【図１２】
2019112170.tif 000014
【図１３】
2019112170.tif 000015
【図１４】
2019112170.tif 000016
【図１５】
2019112170.tif 000017
【図１６】
2019112170.tif 000018
【図１７】
2019112170.tif 000019
【図１８】
2019112170.tif 000020
【図１９】
2019112170.tif 000021
【図２０】
2019112170.tif 000022
【図２１】
2019112170.tif 000023
【図２２】
2019112170.tif 000024
【図２３】
2019112170.tif 000025
【図２４】
2019112170.tif 000026
【図２５】
2019112170.tif 000027
【図２６】
2019112170.tif 000028
【図２７】
2019112170.tif 000029
【図２８】
2019112170.tif 000030
【図２９】
2019112170.tif 000031
【図３０】
2019112170.tif 000032
【図３１】
2019112170.tif 000033
【図３２】
2019112170.tif 000034
【図３３】
2019112170.tif 000035
【図３４】
2019112170.tif 000036
【図３５】
2019112170.tif 000037
【図３６】
2019112170.tif 000038
【図３７】
2019112170.tif 000039
【図３８】
2019112170.tif 000040
【図３９】
2019112170.tif 000041
【図４０】
2019112170.tif 000042
【図４１】
2019112170.tif 000043
【図４２】
2019112170.tif 000044
【図４３】
2019112170.tif 000045
【図４４】
2019112170.tif 000046
【図４５】
2019112170.tif 000047
【図４６】
2019112170.tif 000048
【図４７】
2019112170.tif 000049
【図４８】
2019112170.tif 000050
【図４９】
2019112170.tif 000051
【図５０】
2019112170.tif 000052
【図５１】
2019112170.tif 000053
【図５２】
2019112170.tif 000054
【図５３】
2019112170.tif 000055
【図５４】
2019112170.tif 000056
【図５５】
2019112170.tif 000057
【図５６】
2019112170.tif 000058
【図５７】
2019112170.tif 000059
【図５８】
2019112170.tif 000060
【図５９】
2019112170.tif 000061
【図６０】
2019112170.tif 000062
【図６１】
2019112170.tif 000063
【図６２】
2019112170.tif 000064
【図６３】
2019112170.tif 000065
【図６４】
2019112170.tif 000066
【図６５】
2019112170.tif 000067
【図６６】
2019112170.tif 000068
【図６７】
2019112170.tif 000069
【図６８】
2019112170.tif 000070
【図６９】
2019112170.tif 000071